(57)【要約】【課題】  視聴者が過去に視聴または録画したシーンに対する追加情報をテレビ受信システムが取得した場合に前記追加情報を視聴者に知らせる。放送局から提供される追加情報を確実に取得する。録画済番組を再生している際に、追加情報に対応するシーンにおいて追加情報を出力する。【解決手段】  過去に放送された番組のシーンに対応する追加情報を取得する手段と、前記追加情報に対応するシーンが視聴されていたかどうかを判定する手段と、前記判定手段において前記シーンが視聴されていたと判定された場合前記追加情報を出力する手段。【選択図】  図１
2007129329.tif 000002
【特許請求の範囲】
【請求項１】
過去に放送された番組のシーンに対応する追加情報を取得する手段と、前記追加情報に対応するシーンが視聴されていたかどうかを判定する手段と、前記判定手段において前記シーンが視聴されていたと判定された場合前記追加情報を出力する手段とを設けたことを特徴とするテレビ受信システム。
【請求項２】
過去に放送された番組のシーンに対応する追加情報を取得する手段と、前記追加情報に対応するシーンが録画されていたかどうかを判定する手段と、前記判定手段において前記シーンが録画されていたと判定された場合前記追加情報を前記シーンに対応付けて出力する手段とを設けたことを特徴とするテレビ受信システム。
【請求項３】
前記追加情報取得手段は、前記追加情報を含む番組をEPG（電子番組表）から検索し当該時刻に当該チャンネルに選局することで前記追加情報を取得することを特徴とする請求項1ないし請求項2のテレビ受信システム。
【請求項４】
前記追加情報取得手段は、前記追加情報を含むインターネットサーバにアクセスすることで前記追加情報を取得することを特徴とする請求項1ないし請求項2のテレビ受信システム。
【請求項５】
前記出力手段は、前記シーンが録画されている記録メディアに対して、前記シーンに前記追加情報を重ね合わせて記録することを特徴とする請求項2のテレビ受信システム。
【請求項６】
前記出力手段は、前記シーンが録画されている記録メディアに対して、前記シーンを前記追加情報に差し替えて記録することを特徴とする請求項2のテレビ受信システム。
【請求項７】
前記出力手段は、前記シーンが録画されている記録メディアの再生時に、前記シーンに前記追加情報を重ね合わせて出力することを特徴とする請求項2のテレビ受信システム。
【請求項８】
前記出力手段は、前記シーンが録画されている記録メディアの再生時に、前記シーンを前記追加情報に差し替えて出力することを特徴とする請求項2のテレビ受信システム。
【発明の詳細な説明】
【技術分野】
【０００１】
本発明は、テレビ放送を受信し、映像および音声を出力するテレビ受信システムに関するものである。
【背景技術】
【０００２】
従来のテレビ放送においては、番組の中で文字、図、写真、映像、音声などの内容に誤りや情報不足があった場合、文字スーパーや音声によって訂正情報や補足情報（以下、これらを総称して追加情報と呼ぶ）が放送される。
【０００３】
テレビ受信システムは、これらの追加情報を通常の放送における文字スーパーや音声と区別することなく、画面表示や音声出力を行なう。
【０００４】
従来例としては、例えば特許文献１と特許文献２と特許文献３と特許文献４をあげることが出来る。
【特許文献１】特開２００５−１７５６９５号公報
【特許文献２】特開２００１−３３７５９５号公報
【特許文献３】特開２０００−３２４０５号公報
【特許文献４】特開平１１−１１２９０１号公報
【発明の開示】
【発明が解決しようとする課題】
【０００５】
従来のテレビ受信システムにおいては、誤った内容を含むシーンに対応する訂正情報を確実に取得できる手段が存在しないため、誤った内容を含むシーンを視聴または録画した場合、文字スーパーや音声による訂正情報を視聴または録画していなければ、視聴者は内容に誤りがあったことを知ることができず、誤った内容を信じてしまう恐れがあるという問題があった。
【０００６】
また、誤った内容を含むシーンを録画した場合、文字スーパーや音声による訂正情報をたとえ視聴したとしても録画をしていなければ、後日誤った内容を含むシーンを再生したときには訂正があったことを忘れている可能性が高く、再度誤った内容を信じてしまう恐れがあるという問題があった。
【０００７】
また、誤った内容を含む番組を録画した場合、文字スーパーや音声による訂正をたとえ録画したとしても、誤った内容を含むシーンと訂正情報を含むシーンとが時間的に離れて録画されたり別の記録メディアに録画されていれば、誤った内容を含む場面だけが再生され、訂正情報を含む場面が再生されないこともあり得るので、再度誤った内容を信じてしまう恐れがあるという問題があった。
【０００８】
本発明は、視聴者が過去に視聴または録画したシーンに対する追加情報をテレビ受信システムが取得した場合に前記追加情報を視聴者に知らせることができるテレビ受信システムを実現することを目的とする。
【０００９】
また本発明は、放送局から提供される追加情報を確実に取得することができるテレビ受信システムを実現することを目的とする。
【００１０】
また本発明は、録画済番組を再生している際に、追加情報に対応するシーンにおいて追加情報を出力することができるテレビ受信システムを実現することを目的とする。
【課題を解決するための手段】
【００１１】
請求項1のテレビ受信システムは、過去に放送された番組のシーンに対応する追加情報を取得する手段と、前記追加情報に対応するシーンが視聴されていたかどうかを判定する手段と、前記判定手段において前記シーンが視聴されていたと判定された場合前記追加情報を出力する手段とを設けたことを特徴とする。
【００１２】
請求項2のテレビ受信システムは、過去に放送された番組のシーンに対応する追加情報を取得する手段と、前記追加情報に対応するシーンが録画されていたかどうかを判定する手段と、前記判定手段において前記シーンが録画されていたと判定された場合前記追加情報を前記シーンに対応付けて出力する手段とを設けたことを特徴とする。
【００１３】
請求項3のテレビ受信システムは、請求項1ないし請求項2のテレビ受信システムにおいて、前記追加情報取得手段は、前記追加情報を含む番組をEPG（電子番組表）から検索し当該時刻に当該チャンネルに選局することで前記追加情報を取得することを特徴とする。
【００１４】
請求項4のテレビ受信システムは、請求項1ないし請求項2のテレビ受信システムにおいて、前記追加情報取得手段は、前記追加情報を含むインターネットサーバにアクセスすることで前記追加情報を取得することを特徴とする。
【００１５】
請求項5のテレビ受信システムは、請求項2のテレビ受信システムにおいて、前記出力手段は、前記シーンが録画されている記録メディアに対して、前記シーンに前記追加情報を重ね合わせて記録することを特徴とする。
【００１６】
請求項6のテレビ受信システムは、請求項2のテレビ受信システムにおいて、前記出力手段は、前記シーンが録画されている記録メディアに対して、前記シーンを前記追加情報に差し替えて記録することを特徴とする。
【００１７】
請求項7のテレビ受信システムは、請求項2のテレビ受信システムにおいて、前記出力手段は、前記シーンが録画されている記録メディアの再生時に、前記シーンに前記追加情報を重ね合わせて出力することを特徴とする。
【００１８】
請求項8のテレビ受信システムは、請求項2のテレビ受信システムにおいて、前記出力手段は、前記シーンが録画されている記録メディアの再生時に、前記シーンを前記追加情報に差し替えて出力することを特徴とする。
【発明の効果】
【００１９】
請求項1のテレビ受信システムは、過去に放送された番組のシーンに対応する追加情報を取得する手段と、前記追加情報に対応するシーンが視聴されていたかどうかを判定する手段と、前記判定手段において前記シーンが視聴されていたと判定された場合前記追加情報を出力する手段とを設けたことにより、視聴者が過去に視聴したシーンに対する追加情報をテレビ受信システムが取得した場合に前記追加情報を視聴者に知らせることができるという効果がある。
【００２０】
請求項2のテレビ受信システムは、過去に放送された番組のシーンに対応する追加情報を取得する手段と、前記追加情報に対応するシーンが録画されていたかどうかを判定する手段と、前記判定手段において前記シーンが録画されていたと判定された場合前記追加情報を前記シーンに対応付けて出力する手段とを設けたことにより、視聴者が過去に録画したシーンに対する追加情報をテレビ受信システムが取得した場合に前記追加情報を前記シーンに対応付けて視聴者に知らせることができるという効果がある。
【００２１】
請求項3のテレビ受信システムは、請求項1ないし請求項2のテレビ受信システムにおいて、前記追加情報取得手段は、前記追加情報を含む番組をEPG（電子番組表）から検索し当該時刻に当該チャンネルに選局することで前記追加情報を取得することにより、放送局から提供される追加情報を確実に取得することができるという効果がある。
【００２２】
請求項4のテレビ受信システムは、請求項1ないし請求項2のテレビ受信システムにおいて、前記追加情報取得手段は、前記追加情報を含むインターネットサーバにアクセスすることで前記追加情報を取得することにより、放送局から提供される追加情報を確実に取得することができるという効果がある。
【００２３】
請求項5のテレビ受信システムは、請求項2のテレビ受信システムにおいて、前記出力手段は、前記シーンが録画されている記録メディアに対して、前記シーンに前記追加情報を重ね合わせて記録することにより、最初に誤って放送されたこと及びあとから訂正がなされたことが記録として残るという効果がある。
【００２４】
請求項6のテレビ受信システムは、請求項2のテレビ受信システムにおいて、前記出力手段は、前記シーンが録画されている記録メディアに対して、前記シーンを前記追加情報に差し替えて記録することにより、わずらわしい訂正表示や訂正音声などで本来の映像や音声の邪魔をすることがなく、あたかも最初から正しい放送がなされたように記録を残すことができるという効果がある。
【００２５】
請求項7のテレビ受信システムは、請求項2のテレビ受信システムにおいて、前記出力手段は、前記シーンが録画されている記録メディアの再生時に、前記シーンに前記追加情報を重ね合わせて出力することにより、最初に誤って放送されたこと及びあとから訂正がなされたことを視聴者に知らせることができるという効果がある。
【００２６】
請求項8のテレビ受信システムは、請求項2のテレビ受信システムにおいて、前記出力手段は、前記シーンが録画されている記録メディアの再生時に、前記シーンを前記追加情報に差し替えて出力することにより、わずらわしい訂正表示や訂正音声などで本来の映像や音声の邪魔をすることがなく、あたかも最初から正しい放送がなされたように再生することができるという効果がある。
【発明を実施するための最良の形態】
【００２７】
（実施例1）
図1は、典型的なデジタルテレビ受信システムのハードウェアブロック図である。
【００２８】
図1において、受信機ユニット1は、データの入出力、処理、記憶、通信などを行なうユニットである。ディスプレイは受信機ユニット1と一体化していてもよい。
【００２９】
視聴者がリモコン5によってチャンネルを選択すると、アンテナやCATV端子から入力された信号から、チューナ2によって所望のチャンネルの受信データが得られる。デジタルテレビにおける1つのチャンネルの受信データは、映像データ、音声データ、その他のコードデータが多重化されているので、CPU3はこれらのデータを分離し、それぞれメモリ6へ記憶する。CPU3は、メモリ6の各データに対して復号やその他の処理を行ない、ディスプレイI/F4を介してディスプレイへ映像や音声を出力する。
【００３０】
メモリ6へ記憶されたデータは、さらにHDD7、リムーバルメディア8（ビデオテープ、ビデオディスクなど）に記録し、あとで再生することができる。
【００３１】
さらに、モデム9や周辺機器I/F10（USB、IEEE1394など）を介して、インターネットサーバや各種周辺機器（デジタルカメラ、プリンタ、キーボード、ポインティングデバイスなど）と接続し、映像データ、音声データ、その他のコードデータの通信を行なうことができる。
【００３２】
図2は本発明を実施したデジタルテレビ受信システムにおけるCPU3の処理を機能別に表わしたブロック図である。
【００３３】
操作部21はリモコン3やその他の周辺機器による視聴者の操作に基づき、選局部22、選局予約部22、EPG処理部24、録画予約部25、記録部27、データ制御部28、データ放送処理部29、インターネット処理部30に対して動作を指示する。
【００３４】
選局部22は操作部21、選局予約部23、EPG処理部24、録画部25の指示に基づき、チャンネルを切り替える。
【００３５】
選局予約部23は、操作部21、EPG処理部24の指示に基づき、タイマーに予約時刻をセットし、予約時刻になったら選局部22に選局の指示を送る。
【００３６】
EPG処理部24は、放送データに含まれる番組情報に基づきEPG（電子番組表）画面を表示し、操作部21の指示に基づき、選局部22、選局予約部23、録画予約部25にそれぞれ指示を送る。
【００３７】
録画予約部25は、操作部21、EPG処理部24の指示に基づき、タイマーに予約時刻をセットし、予約時刻になったら選局部22に選局の指示を送るとともに、記録部27に録画の指示を送る。
【００３８】
放送受信部26は、選局部26で指示されたチャンネルの放送を受信し、データをデータ制御部28へ送る。録画する場合は、受信データを記録部27へも送る。
【００３９】
記録部27は、操作部21、録画予約部25の指示に基づき、受信データを記録メディアに記録する。また、データ制御部28の指示に基づき各種データ（視聴したチャンネルの履歴など）を記録メディアに記録する。これらの記録メディアとしては、メモリ6、HDD7、リムーバルメディア8、さらにはその他の周辺機器やインターネット上のサーバなどが利用可能である。記録されたデータは操作部21の指示やその他必要に応じて読み出される。記録メディアの種類によっては、データを差し替えたり、複数個所に記録されたの複数データをほぼ同時に読み出して合成して出力したりすることも可能である。
【００４０】
データ制御部28は、各処理部で得られた各種データを必要に応じて各処理部へ送る。
【００４１】
データ放送処理部29は、受信データから分離されたデータ放送、字幕、文字スーパー（字幕は洋画の日本語訳などのように本編の映像に連動したテキストであり、文字スーパーはニュース速報のように本編の映像と無関係なテキストである）に関するデータを解釈し、操作部21の指示に基づき、映像、音声、文字、図形を表示する。
【００４２】
インターネット処理部30は、モデム9を介してインターネットから得られたデータを解釈し、操作部21の指示に基づき、映像、音声、文字、図形を表示する。
【００４３】
映像・音声復号部31は、符号化された動画像、静止画像、音声を復号する。
【００４４】
文字・図形描画部32は、データ放送、字幕、文字スーパー、インターネット、EPGなどのデータに基づき、文字、図形を描画する。
【００４５】
映像・音声信号出力部は、動画像、静止画像、文字、図形を合成し、ディスプレイI/F4へ映像信号として出力するとともに、音声信号を出力する。
【００４６】
以上は、通常のデジタルテレビ受信システムの処理であるが、本発明においては、追加情報処理部34を設けることによって、過去に放送された番組のシーンに対応する追加情報を放送またはインターネットから取得し、前記追加情報に対応するシーンが視聴または録画されていた場合に前記追加情報を記録部27へ記録したり、映像、音声、文字、図形としてディスプレイに出力したりすることができる。
【００４７】
図3及び図4のフローチャートによって、追加情報処理部34の基本的動作を説明する。
【００４８】
図3のフローチャートは、視聴者がその時テレビを見ているか否かにかかわらず実行される動作である。すなわち視聴者が寝ているときや外出しているときでも可能である。
【００４９】
ステップS101においては、追加情報を取得する。追加情報には対応するシーンを特定するコード、例えばチャンネル番号と放送日時が付加されているものとする。追加情報は、動画、静止画、音声、データ放送、字幕、文字スーパーなどのデータ形式で送信されるものとする。追加情報の取得方法は後述する。
【００５０】
ステップS102においては、記録部27によって記録された視聴履歴（視聴されたチャンネル番号とそのチャンネルの視聴開始日時及び視聴終了日時のリスト）に基づき、追加情報に対応するシーンを当該視聴者が視聴していたかどうかを調べる。視聴していた場合はステップS103へ進み、視聴していなかった場合はステップS104へ進む。
【００５１】
ステップS103においては、当該追加情報を記録部27に一時的に記憶しておく。
【００５２】
ステップS104においては、記録部27によって記録された録画履歴（録画されたチャンネル番号とそのチャンネルの録画開始日時及び録画終了日時のリスト）に基づき、追加情報に対応するシーンを当該視聴者が録画していたかどうかを調べる。録画していた場合はステップS105へ進み、録画していなかった場合は終了する。
【００５３】
ステップS105においては、当該追加情報を記録部27に一時的に記憶しておく。
【００５４】
ステップS106においては、当該追加情報を記録するための記録メディアが記録準備ができているかどうかを調べる。HDD7に記録する場合や対象リムーバブルメディア8が挿入されている場合はステップS108へ進み、対象リムーバブルメディア8が挿入されていない場合はステップS107へ進む。
【００５５】
ステップS107においては、当該リムーバブルメディアの挿入待ち状態であることを記憶しておき、一旦終了する。この状態は、後述の図4の動作の中で参照される。
【００５６】
ステップS108においては、記録部27によって、当該追加情報を録画データの当該シーンに対応付けて追記する。追記方法は2通りある。1つは古い録画データを追加データを付加した新たな録画データで上書きする方法であり、もう1つは追加データを別途記憶し、再生の都度古い録画データと追加データを合成して出力する方法である。後者の方法は再生時の視聴者の操作に基づき、追加データの出力形式の変更が可能であるなど柔軟性が高い。例えば、追加データを表示するか否かを随時切り替えたり、追加データを表示する文字の大きさを随時変えたりすることができる。しかし、記録メディアや記録フォーマットによっては再生時のデータの合成が困難な場合があり、その場合は前者の方法を取ればよい。
【００５７】
図4のフローチャートは、視聴者がテレビを見ているときに追加情報を出力する動作を表わす。
【００５８】
ステップS201においては、追加情報の出力要求が発生する。電源を入れたときに自動的に追加情報出力要求が発生するようにしてもよいし、視聴者が明示的に追加情報の出力を要求する操作を行なうようにしてもよい。
【００５９】
ステップS202においては、図3のステップS103またはS105によって一時的に記憶された追加情報があるかどうか調べる。追加情報があればステップS203へ進み、なければ終了する。
【００６０】
ステップS203においては、記録部27によって記録された視聴履歴（視聴されたチャンネル番号とそのチャンネルの視聴開始日時及び視聴終了日時のリスト）に基づき、追加情報に対応するシーンを当該視聴者が視聴していたかどうかを調べる。録画したシーンをまだ視聴していない場合は、再生時まで追加情報の内容は視聴者に知らせない方が望ましい。スポーツやドラマの本編を見る前に、追加情報を見ただけで先に結末がわかってしまう可能性があり、本編の興味をそぐことになってしまうおそれがあるためである。視聴していた場合はステップS204へ進み、視聴していなかった場合はステップS205へ進む。
【００６１】
ステップS204においては、一時的に記憶しておいた追加情報を読み出し、映像、音声、文字、図形などで出力することで、視聴者に追加情報の内容を知らせる。
【００６２】
ステップS205においては、リムーバブルメディアの挿入待ち状態になっているかどうかを調べる。挿入待ち状態であればステップS206へ進み、そうでなければ終了する。
【００６３】
ステップS206においては、追加情報を記録するリムーバブルメディアを挿入する。
【００６４】
ステップS207においては、図3のステップS108と同様に、記録部27によって、当該追加情報を録画データの当該シーンに対応付けて追記する。
【００６５】
図3のステップS108または図4のステップS207によって追記された追加情報は、録画データの再生時に当該シーンにおいて出力される。
【００６６】
図5のフローチャートによって、追加情報取得方法の具体例を説明する。
【００６７】
ステップS301においては、あらかじめ設定されたEPG（電子番組表）の受信時刻になるまで待つ。待っている間は、通常のテレビの視聴を行なっていてもよい。
【００６８】
ステップS302においては、EPGを受信する。
【００６９】
ステップS303においては、EPGのデータから追加情報を放送する番組を検索する。ここでは、データ放送の特定の番組において、そのチャンネルまたは関連するチャンネルにおいて放送された番組に対する追加情報をデータ放送のデータとして放送されるものとする。
【００７０】
ステップS304においては、追加情報を放送するデータ放送番組がEPGから検索されなければ、ステップS301へ戻り、次のEPG受信時刻まで待つ。検索されれば、ステップS305へ進む。
【００７１】
ステップS305においては、EPGによって当該データ放送番組を選局予約する。
【００７２】
ステップS306においては、選局予約時刻になるまで待つ。待っている間は、通常のテレビの視聴を行なっていてもよい。
【００７３】
ステップS307においては、当該データ放送番組を選局し、追加情報を受信する。
【００７４】
以下、図3のフローチャートで説明したように、追加情報を取得する。
【００７５】
また、追加情報取得方法の別の具体例として、モデム9を介して所定のWebサイトにアクセスして、追加情報を取得してもよい。前述の具体例の場合は追加情報を放送する特定のデータ放送番組が放送される時刻まで待たなければならないが、Webサイトの場合は更新が済み次第いつでも追加情報の取得が可能である。
【００７６】
図6は、字幕に誤字があった場合の例である。(a)は最初に放送されたときの字幕と音声を表わしている。(b)は追加情報を取得して記録した後、再生した画面であり、追加情報がウィンドウとして重ねて表示されている。ウィンドウのかわりに文字スーパーでもよい。
【００７７】
本実施例では、最初に誤って放送されたこと及びあとから訂正がなされたことが記録として残るという効果がある。
【００７８】
（実施例2）
図7は、音声に読み間違いがあった場合の例である。(a)は最初に放送されたときの字幕と音声を表わしている。(b)は追加情報を取得して記録した後、再生した画面であり、追加情報が文字スーパーとして重ねて表示されている。文字スーパーのかわりにウィンドウでもよい。
【００７９】
本実施例では、最初に誤って放送されたこと及びあとから訂正がなされたことが記録として残るという効果がある。
【００８０】
（実施例3）
図8は、字幕に誤字があった場合の例である。(a)は最初に放送されたときの字幕と音声を表わしている。(b)は追加情報を取得して記録した後、再生した画面であり、追加情報によって字幕が差し替えられて表示されている。デジタルテレビ放送においては字幕はラスタ画像データではなく文字コードデータとして送信され、さらにデジタル録画においては文字コードとして記録することができる。したがって録画データ中の文字コードを書き換えることにより、字幕を差し替えることができる。
【００８１】
字幕ではなく、動画像に含まれる情報（例えばアナウンサーが手に持っているフリップの中の文字に誤字があった場合）にも、追加情報として動画像が送られてくれば差し替えて表示することができる。
【００８２】
本実施例では、わずらわしい訂正文字スーパーなどで本来の映像の邪魔をすることがなく、あたかも最初から正しい放送がなされたように記録を残すことができるという効果がある。
【００８３】
（実施例4）
図9は、音声に読み間違えがあった場合の例である。(a)は最初に放送されたときの字幕と音声を表わしている。(b)は追加情報を取得して記録した後、再生した画面であり、追加情報によって音声が差し替えられている。
【００８４】
本実施例では、わずらわしい訂正音声などで本来の音声の邪魔をすることがなく、あたかも最初から正しい放送がなされたように記録を残すことができるという効果がある。
【図面の簡単な説明】
【００８５】
【図１】典型的なデジタルテレビ受信システムのハードウェアブロック図。
【図２】本発明を実施したデジタルテレビ受信システムの機能ブロック図。
【図３】追加情報取得の基本的動作を表わすフローチャート。
【図４】追加情報出力の動作を表わすフローチャート。
【図５】追加情報取得方法の具体例を表わすフローチャート。
【図６】字幕に誤字があった場合において追加情報をウィンドウで表示する例を示した図。
【図７】音声に読み間違いがあった場合において追加情報を字幕で表示する例を示した図。
【図８】字幕に誤字があった場合において追加情報によって字幕を差し替えた例を示した図。
【図９】音声に読み間違いがあった場合において追加情報によって音声を差し替えた例を示した図。
【符号の説明】
【００８６】
1  受信機ユニット
2  チューナ
3  CPU（中央処理装置）
4  ディスプレイI/F（インタフェース）
5  リモコン
6  メモリ
7  HDD（ハードディスクドライブ）
8  リムーバルメディア
9  モデム
10  周辺機器I/F
21  操作部
22  選局部
23  選局予約部
24  EPG処理部
25  録画予約部
26  放送受信部
27  記録部
28  データ制御部
29  データ放送処理部
30  インターネット処理部
31  映像・音声復号部
32  文字・図形描画部
33  映像音声信号出力部
34  追加情報処理部
【図１】
2007129329.tif 000003
【図２】
2007129329.tif 000004
【図３】
2007129329.tif 000005
【図４】
2007129329.tif 000006
【図５】
2007129329.tif 000007
【図６】
2007129329.tif 000008
【図７】
2007129329.tif 000009
【図８】
2007129329.tif 000010
【図９】
2007129329.tif 000011